(57)【特許請求の範囲】
【請求項１】
外筒と、
外側面が前記外筒に対して摺動自在に挿入された内筒と、
前記内筒の内径以下の外径を有し、前記内筒の内側に配置される第１コイルスプリングと、
前記第１コイルスプリングと同じ外径及び同じピッチを有し、前記外筒の内側に配置され、且つ前記第１コイルスプリングと軸方向にずれて配置可能な旋回用コイルスプリングと、
前記第１コイルスプリングの下端部に固定された第１中空円筒部材と、
前記旋回用コイルスプリングの下端部に固定された旋回部材と、
前記内筒の上端部に形成され、前記第１コイルスプリングが前記内筒に対して相対的に旋回することを阻止する回り止め部と、
前記第１中空円筒部材の内周に設けられ、前記第１コイルスプリングと前記旋回用コイルスプリングとが一緒に旋回可能に連結する連結部と、
前記旋回部材を旋回する駆動機構とを備え、
前記内筒及び前記外筒は、前記第１コイルスプリング及び前記旋回用コイルスプリングの旋回に伴って一緒に回転することのないように構成され、
前記第１コイルスプリングが前記回り止め部に係合していない状態では、該第１コイルスプリングと前記旋回用コイルスプリングが一緒に旋回可能であり、
前記第１コイルスプリングが前記回り止め部に係合した状態では、前記駆動機構により、前記旋回部材及び前記旋回用コイルスプリングが旋回して、該第１コイルスプリングが該旋回用コイルスプリングに対して上昇することで、前記内筒が前記外筒に対して上昇するようになっていることを特徴とする伸縮ポール。
【請求項２】
外筒と、
外側面が前記外筒に対して摺動自在に挿入された中間筒と、
外側面が前記中間筒に対して摺動自在に挿入された内筒と、
前記内筒の内径以下の外径を有し、前記内筒の内側に配置される第１コイルスプリングと、
前記第１コイルスプリングと同じ外径及び同じピッチを有し、前記中間筒の内側に配置され、且つ前記第１コイルスプリングと軸方向にずれて配置可能な第２コイルスプリングと、
前記第１コイルスプリングと同じ外径及び同じピッチを有し、前記外筒の内側に配置され、且つ前記第２コイルスプリングと軸方向にずれて配置可能な旋回用コイルスプリングと、
前記第１コイルスプリングの下端部に固定された第１中空円筒部材と、
前記第２コイルスプリングの下端部に固定された第２中空円筒部材と、
前記旋回用コイルスプリングの下端部に固定された旋回部材と、
前記内筒の上端部に形成され、前記第１コイルスプリングが前記内筒に対して相対的に旋回することを阻止する回り止め部と、
前記第２コイルスプリングの上端部に形成され、該第２コイルスプリングが前記第１コイルスプリングに対して相対的に旋回することを阻止する連結係合部と、
前記第１中空円筒部材の内周に設けられ、前記第１コイルスプリングと前記第２コイルスプリングとが一緒に旋回可能に連結する第１連結部と、
前記第２中空円筒部材の内周に設けられ、前記第２コイルスプリングと前記旋回用コイルスプリングとが一緒に旋回可能に連結する第２連結部と、
前記旋回部材を旋回する駆動機構とを備え、
前記内筒、前記中間筒及び前記外筒は、前記第１コイルスプリング、前記第２コイルスプリング及び前記旋回用コイルスプリングの旋回に伴って一緒に回転することのないように構成され、
前記第１コイルスプリング及び前記第２コイルスプリングが、前記回り止め部及び前記連結係合部に係合していない状態では、該第１コイルスプリング、該第２コイルスプリング及び前記旋回用コイルスプリングは一緒に旋回可能であり、
前記第１コイルスプリングが前記回り止め部に係合した状態では、前記駆動機構により、前記旋回部材及び前記旋回用コイルスプリングが旋回して、該第１コイルスプリングが上昇することで、前記内筒が前記外筒に対して上昇し、
前記第２コイルスプリングが前記連結係合部に係合した状態では、前記駆動機構により、前記旋回部材及び前記旋回用コイルスプリングが旋回して、該第２コイルスプリングが上昇することで、前記中間筒が前記外筒に対して上昇するようになっていることを特徴とする伸縮ポール。
【請求項３】
請求項１において、
前記内筒の内側に設けられ、前記第１コイルスプリングの旋回をガイドする内筒用ガイド部を備えることを特徴とする伸縮ポール。
【請求項４】
請求項２において、
前記内筒の内側に設けられ、前記第１コイルスプリングの旋回をガイドする内筒用ガイド部を備えることを特徴とする伸縮ポール。
【請求項５】
請求項２又は４において、
前記第１中空円筒部材の内周に設けられ、前記第１中空円筒部材と前記第２コイルスプリングとの相対的な旋回をガイドする第１ガイド部と、
前記第２中空円筒部材の内周に設けられ、前記第２中空円筒部材と前記旋回用コイルスプリングとの相対的な旋回をガイドする第２ガイド部とを備えることを特徴とする伸縮ポール。
【請求項６】
請求項２、４又は５において、
内筒が中間筒に対して相対的に摺動することを支える第１支持機構を備え、
中間筒が外筒に対して相対的に摺動することを支える第２支持機構を備えることを特徴とする伸縮ポール。
【請求項７】
請求項１ないし６のいずれか１つにおいて、
前記内筒及び外筒が断面矩形状の筒部材からなることを特徴とする伸縮ポール。
【請求項８】
請求項１ないし７のいずれか１つにおいて、
前記旋回部材が、旋回用中空円筒部材と前記旋回用中空円筒部材が内周に挿入される中空円筒部を備え、
前記旋回用中空円筒部材に前記旋回用コイルスプリングの下端部が固定され、
前記中空円筒部が駆動機構に連結されて旋回するように設けられており、
前記旋回用中空円筒部材に設けられた係合部を前記中空円筒部に設けられた被係合部に係合することで、前記旋回用中空円筒部材と前記中空円筒部とが一緒に旋回するようになっていることを特徴とする伸縮ポール。
【請求項９】
請求項１ないし８のいずれか１つにおいて、
前記駆動機構が、モータ部を備えることを特徴とする伸縮ポール。
【請求項１０】
請求項９において、
前記駆動機構が、前記モータ部の旋回を制御する制御部を備えることを特徴とする伸縮ポール。
【請求項１１】
請求項１０において、
前記モータ部は正逆回転可能なモータを備え、
前記制御部が、前記モータを正転、逆転および停止する操作部を備えることを特徴とする伸縮ポール。
【請求項１２】
請求項１１において、
前記制御部が、前記内筒と前記中間筒が上昇端に達した場合に、前記モータの回転を停止する制動部を備えることを特徴とする伸縮ポール。
【発明の詳細な説明】
【技術分野】
【０００１】
本発明は、イルミネーション用、イベント用、テント用等の伸縮ポールなど多用途に使用できる伸縮ポールに関するものである。
【背景技術】
【０００２】
従来、この種の伸縮ポールとしては、例えば特許文献１に示すように、外筒に対して内筒が回転しながら飛び出るようになったものが知られている。この特許文献では、内側端部が外筒に対して摺動自在に挿入された内筒の内部に挿通されたコイルスプリングが挿通され、コイルスプリングの螺旋部が、内筒の内側端部に嵌着されたガイドピース摺動自在に挿通され、コイルスプリングの一端部が外筒の外側端部に係止されている。
【０００３】
また、縦向きの伸縮ポールとして、特許文献２が知られている。この特許文献２では、複数のポールを継ぎ足して長さを高くするようになっている。具体的には、支持部材を垂直方向に伸縮移動させる為の案内部と支持部材を押圧して把持する押圧力調整装置とを設けた基台本体と、支持部材を把持し、且つ上下垂直方向に搬送移動させる駆動搬送装置と、支持部材を継ぎ足す際に一時的に保持して落下を防止し、継ぎ足しに要する所定寸法ほど上下移動可能に設けた保持装置とを備え、支持部材を継ぎ足しながら上昇させるようにしたものである。
【先行技術文献】
【特許文献】
【０００４】
【特許文献１】実開平７−４２１６５号公報
【特許文献２】登録実用新案３１４８２９９号公報
【発明の概要】
【発明が解決しようとする課題】
【０００５】
しかし、上記特許文献１は、内筒を旋回させることで、ガイドピースがコイルスプリングに対して螺旋状に旋回しつつ、内筒が外筒に対して出る構成である。このように内筒が旋回する構造であるために、伸縮ポールが縦方向に伸びるものに使用した際には、内筒および内筒の上端部に取り付けられる付属品の荷重をガイドピースで受けることとなり、荷重負担が大きいという問題があった。また、長いポールの場合に内筒を旋回させながら上方に伸ばす作業がやり難いという問題があった。
【０００６】
また、上記特許文献２では、ポールを継ぎ足しながら上昇させるようになっているので、この継ぎ足し作業が大変な負担であり、作業工数もかかっていた。
【０００７】
本発明は斯かる問題点に鑑みてなされたものであり、縦方向に伸縮可能であって、上下方向の荷重にも十分に耐えられ、簡単に伸縮できる伸縮ポールを提供することにある。
【課題を解決するための手段】
【０００８】
上記の目的を達成するために、この発明では、外筒および内筒それぞれに旋回用コイルスプリングおよび第１コイルスプリングを設け、それぞれのコイルスプリングが相対的に旋回することで、内筒が外筒に対して出ていき、長くなるようにした。
【０００９】
具体的には、第１の発明は、外筒と、外側面が前記外筒に対して摺動自在に挿入された内筒と、前記内筒の内径以下の外径を有し、前記内筒の内側に配置される第１コイルスプリングと、前記第１コイルスプリングと同じ外径及び同じピッチを有し、前記外筒の内側に配置され、且つ前記第１コイルスプリングと軸方向にずれて配置可能な旋回用コイルスプリングと、前記第１コイルスプリングの下端部に固定された第１中空円筒部材と、前記旋回用コイルスプリングの下端部に固定された旋回部材と、前記内筒の上端部に形成され、前記第１コイルスプリングが前記内筒に対して相対的に旋回することを阻止する回り止め部と、前記第１中空円筒部材の内周に設けられ、前記第１コイルスプリングと前記旋回用コイルスプリングとが一緒に旋回可能に連結する連結部と、前記旋回部材を旋回する駆動機構とを備え、前記内筒及び前記外筒は、前記第１コイルスプリング及び前記旋回用コイルスプリングの旋回に伴って一緒に回転することのないように構成され、前記第１コイルスプリングが前記回り止め部に係合していない状態では、該第１コイルスプリングと前記旋回用コイルスプリングが一緒に旋回可能であり、前記第１コイルスプリングが前記回り止め部に係合した状態では、前記駆動機構により、前記旋回部材及び前記旋回用コイルスプリングが旋回して、該第１コイルスプリングが該旋回用コイルスプリングに対して上昇することで、前記内筒が前記外筒に対して上昇するようになっていることを特徴とする。
【００１０】
第２の発明は、外筒と、外側面が前記外筒に対して摺動自在に挿入された中間筒と、外側面が前記中間筒に対して摺動自在に挿入された内筒と、前記内筒の内径以下の外径を有し、前記内筒の内側に配置される第１コイルスプリングと、前記第１コイルスプリングと同じ外径及び同じピッチを有し、前記中間筒の内側に配置され、且つ前記第１コイルスプリングと軸方向にずれて配置可能な第２コイルスプリングと、前記第１コイルスプリングと同じ外径及び同じピッチを有し、前記外筒の内側に配置され、且つ前記第２コイルスプリングと軸方向にずれて配置可能な旋回用コイルスプリングと、前記第１コイルスプリングの下端部に固定された第１中空円筒部材と、前記第２コイルスプリングの下端部に固定された第２中空円筒部材と、前記旋回用コイルスプリングの下端部に固定された旋回部材と、前記内筒の上端部に形成され、前記第１コイルスプリングが前記内筒に対して相対的に旋回することを阻止する回り止め部と、前記第２コイルスプリングの上端部に形成され、該第２コイルスプリングが前記第１コイルスプリングに対して相対的に旋回することを阻止する連結係合部と、前記第１中空円筒部材の内周に設けられ、前記第１コイルスプリングと前記第２コイルスプリングとが一緒に旋回可能に連結する第１連結部と、前記第２中空円筒部材の内周に設けられ、前記第２コイルスプリングと前記旋回用コイルスプリングとが一緒に旋回可能に連結する第２連結部と、前記旋回部材を旋回する駆動機構とを備え、前記内筒、前記中間筒及び前記外筒は、前記第１コイルスプリング、前記第２コイルスプリング及び前記旋回用コイルスプリングの旋回に伴って一緒に回転することのないように構成され、前記第１コイルスプリング及び前記第２コイルスプリングが、前記回り止め部及び前記連結係合部に係合していない状態では、該第１コイルスプリング、該第２コイルスプリング及び前記旋回用コイルスプリングは一緒に旋回可能であり、前記第１コイルスプリングが前記回り止め部に係合した状態では、前記駆動機構により、前記旋回部材及び前記旋回用コイルスプリングが旋回して、該第１コイルスプリングが上昇することで、前記内筒が前記外筒に対して上昇し、前記第２コイルスプリングが前記連結係合部に係合した状態では、前記駆動機構により、前記旋回部材及び前記旋回用コイルスプリングが旋回して、該第２コイルスプリングが上昇することで、前記中間筒が前記外筒に対して上昇するようになっていることを特徴とする。
【００１１】
第３の発明は、第１の発明において、前記内筒の内側に設けられ、前記第１コイルスプリングの旋回をガイドする内筒用ガイド部を備えることを特徴とする。
【００１２】
第４の発明は、第２の発明において、前記内筒の内側に設けられ、前記第１コイルスプリングの旋回をガイドする内筒用ガイド部を備えることを特徴とする。
【００１３】
第５の発明は、第２又は４の発明において、前記第１中空円筒部材の内周に設けられ、前記第１中空円筒部材と前記第２コイルスプリングとの相対的な旋回をガイドする第１ガイド部と、前記第２中空円筒部材の内周に設けられ、前記第２中空円筒部材と前記旋回用コイルスプリングとの相対的な旋回をガイドする第２ガイド部とを備えることを特徴とする。
【００１４】
第６の発明は、第２、４又は５の発明において、内筒が中間筒に対して相対的に摺動することを支える第１支持機構を備え、中間筒が外筒に対して相対的に摺動することを支える第２支持機構を備えることを特徴とする。
【００１５】
第７の発明は、第１ないし６のいずれか１つの発明において、前記内筒及び内筒が断面矩形状の筒部材からなることを特徴とする。
【００１６】
第８の発明は、第１ないし７のいずれか１つの発明において、前記旋回部材が、旋回用中空円筒部材と前記旋回用中空円筒部材が内周に挿入される中空円筒部を備え、前記旋回用中空円筒部材に前記旋回用コイルスプリングの下端部が固定され、前記中空円筒部が駆動機構に連結されて旋回するように設けられており、前記旋回用中空円筒部材に設けられた係合部を前記中空円筒部に設けられた被係合部に係合することで、前記旋回用中空円筒部材と前記中空円筒部とが一緒に旋回するようになっていることを特徴とする。
【００１７】
第９の発明は、第１ないし８のいずれか１つの発明において、前記駆動機構が、モータ部を備えることを特徴とする。
【００１８】
第１０の発明は、第９の発明において、前記駆動機構が、前記モータ部の旋回を制御する制御部を備えることを特徴とする。
【００１９】
第１１の発明は、第１０の発明において、前記モータ部は正逆回転可能なモータを備え、前記制御部が、前記モータを正転、逆転および停止する操作部を備えることを特徴とする。
【００２０】
第１２の発明は、第１１の発明において、前記制御部が、前記内筒と前記中間筒が上昇端に達した場合に、前記モータの回転を停止する制動部を備えることを特徴とする。
【発明の効果】
【００２１】
以上説明したように、第１の発明によると、内筒と外筒の内側にそれぞれ同じピッチのコイルスプリングを設けてあり、これらのコイルスプリングが軸方向に略線径分ずれて螺円状に重なった状態になることで、内筒と外筒が互いに軸方向にほとんど重なって収納されることとなり、これらのコイルスプリングが軸方向にコイルスプリングの略長さ分ずれて１本のコイルスプリングのようになることで、内筒と外筒が互いに軸方向に伸びた状態になる。このことにより、収納する時は内筒と外筒がコンパクトに収納され、伸ばしたい時は、下側にあるコイルスプリングを旋回することで、他のコイルスプリングが上方に伸びて、それに伴って内筒が上方に伸びるので、伸縮ポールを簡単に縦方向に伸縮可能であって、且つ上下方向の荷重にも十分に耐えることができる。
【００２２】
第２の発明によると、内筒、中間筒と外筒の内側にそれぞれ同じピッチのコイルスプリングを設けてあり、これらのコイルスプリングが軸方向に略線径分ずれて螺旋状に重ねった状態になることで、内筒中間筒及び外筒が互いに軸方向にほとんど重なって収納されることとなり、これらのコイルスプリングが軸方向にコイルスプリングの略長さ分ずれて１本のコイルスプリングのようになることで、内筒、中間筒及び外筒が互いに軸方向に伸びた状態になる。このことにより、収納する時は内筒、中間筒及び外筒がコンパクトに収納され、伸ばしたい時は、下側にあるコイルスプリングを旋回することで、他のコイルスプリングが上方に伸びて、それに伴って内筒や中間筒が上方に伸びるので、伸縮ポールを簡単に縦方向に伸縮可能であって、且つ上下方向の荷重にも十分に耐えることができる。
【００２３】
特に、コイルスプリングや中間筒の数や長さを調整することで、必要な長さや荷重に応じた伸縮ポールを得ることができる。
【００２４】
第３及び第４の発明によると、内筒の内側に第１コイルスプリングの旋回をガイドする内筒用ガイド部を備えるので、第１コイルスプリングが軸方向と直角な方向にずれることを抑制して、上下方向にスムーズに移動でき、内筒がスムーズに上下動できる。
【００２５】
第５の発明によると、第１中空円筒部材と第１コイルスプリングとの相対的な旋回をガイドする第１ガイド部が、第１中空円筒部材の内周に設けられ、第２中空円筒部材と第２コイルスプリングとの相対的な旋回をガイドする第２ガイド部が第２中空円筒部材の内周に設けられるので、第１コイルスプリング及び第２コイルスプリングが軸方向と直角な方向にずれることを抑制して、上下方向にスムーズに移動でき、内筒及び中間筒がスムーズに上下動できる。
【００２６】
第６の発明によると、第１支持機構で内筒が中間筒に対して相対的に摺動することを支え、第２支持機構で中間筒が外筒に対して相対的に摺動することを支えるので、内筒及び中間筒の上下動が滑らかにできる。その結果、コイルスプリングの上下動にも軸方向とずれる方向の変位が抑制されるので、コイルスプリングの旋回や上下動も滑らかに維持される。
【００２７】
第７の発明によると、内筒及び外筒が断面矩形状の筒部材からなるので、コイルスプリングの旋回に伴って一緒に回転することが無い構成を、簡単な構造で得られる。
【００２８】
第８の発明によると、中空円筒部に旋回用中空円筒部材を挿入して係合でき、旋回用中空円筒部材を中空円筒部から抜くと係合が外れるので、簡単に組立・分離できる。
【００２９】
第９の発明によると、駆動機構が、モータ部を備えるので、人力に頼らないで、誰でも簡単に操作できる。
【００３０】
第１０の発明によると、前記駆動機構が、前記モータ部の旋回を制御する制御部を備えるので、所定の上昇位置に確実に伸ばすことができる。
【００３１】
第１１の発明によると、前記モータを正転、逆転および停止する操作部を備えるので、確実に、所定の高さ位置に伸縮ポールを止めることができる。
【００３２】
第１２の発明によると、前記制御部が制動部を備えるので、確実及び安全に、所定の高さ位置に伸縮ポールを安全に止めることができ、誤動作を防止できる。
【００３３】
なお、本発明において、「縦方向に伸縮可能」の「縦方向」とは、ほぼ縦方向も含むものである。
【００３４】
「コイルスプリングの軸方向」とは、螺旋状に巻いたコイルスプリングの内径と直角な方向の「伸縮方向」であって、「コイルスプリングの軸方向中心線」とは、「コイルスプリングの軸中心を通る線を軸方向中心線」という。
【図面の簡単な説明】
【００３５】
【図１】図１は、本発明の実施形態１に係わる伸縮ポールの使用例を示す正面断面図である。
【図２】図２は、実施形態１の伸縮ポールの一部の部分断面図である。（ａ）は、すべてのコイルスプリングが下端位置に下降している状態を示す断面図である。（ｂ）は、（ａ）の状態から一部のコイルスプリングが上昇している状態を示す断面図である。（ｃ）は、（ｂ）の状態から一部のコイルスプリングが更に上昇している状態を示す断面図である。（ｄ）は、（ｃ）の状態から一部のコイルスプリングが更に上昇している状態を示す断面図である。（ｅ）は、（ｄ）の状態から一部のコイルスプリングが更に上昇して、すべてのコイルスプリングが上端位置に上昇している状態を示す断面図である。
【図３】図３は、図２（ａ）において、点線楕円IIIで囲った部分の拡大断面図を示す。
【図４】図４は、図２（ｂ）において、点線楕円IVで囲った部分の拡大断面図を示す。
【図５】図５は、図２（ｃ）において、点線楕円Ｖで囲った部分の拡大断面図を示す。
【図６】図６は、図２（ｄ）において、点線楕円VIで囲った部分の拡大断面図を示す。
【図７】図７は、図２（ｅ）において、点線楕円VIIで囲った部分の拡大断面図を示す。
【図８】図８は、図２の駆動機構の部分拡大図である。
【図９】図９は、実施形態１の伸縮ポールの旋回部材と駆動機構との係合部分を説明する斜視図である。
【図１０】図１０は、図５の部分拡大斜視図である。なお、図１０の連結部の位置は、判りやすくするために、図５と異なった位置とした。
【図１１】図１１は、図３のＸ−Ｘ線断面図である。
【図１２】図１２は、実施形態１の駆動機構のブロック図を示す。
【図１３】図１３は、実施形態２に係わり、図２（ａ）、図２（ｅ）と同様な図を示す。
【発明を実施するための形態】
【００３６】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３７】
（実施形態１）
祭りや祝賀行事等のイベントの際に装飾品等を高所に設置する際に、実施形態１の伸縮ポールを適用した場合について、図１〜図１２に基づいて説明する。
【００３８】
図１に示すように、背丈の高いクリスマスツリー等の装飾品５０を設置する際は、伸縮ポール１に装飾品５０を飾り付けて、伸縮ポール１を伸ばすことで、装飾品５０を３００ｃｍ〜１，５００ｃｍ程度の高さにして飾ることができ、不要な時には簡単に伸縮ポール1を縮小させて、例えば、１００ｃｍ〜２００ｃｍ程度の高さに収納できるようになっている。
【００３９】
この伸縮ポール１の詳細構造及び作動状況を図２〜図１２に基づいて説明する。
【００４０】
図２に示すように、伸縮ポール１には、アルミ合金製の４本の細長い矩形筒状部材が設けられている。これらの矩形筒状部材は、内筒２と、中間筒（第１中間筒３及び第２中間筒４）と、外筒５を有する。外筒５に対して、第２中間筒４の外側面が摺動自在に挿入され、第２中間筒４に対して、第１中間筒３の外側面が摺動自在に挿入され、第１中間筒３に対して、内筒２の外側面が摺動自在に挿入されている。
【００４１】
伸縮ポール１には、圧縮コイルバネからなる金属製の３本のコイルスプリング７〜９（長さ：１００ｃｍ）が設けられている。各コイルスプリング７〜９の外径Ｒ２は、内筒２内を相対的にコイルスプリング７〜９が上下動でき、且つ上下方向（以下軸方向と称す）と直角な方向にコイルスプリング７〜９がずれないように（即ち、軸方向中心線がずれないように）、内筒２の矩形状断面の内側の長さＬ１よりも僅かに短くなっている（図３及び図１１参照）。これらのコイルスプリング７〜９は、内筒２の内側に配置可能な第１コイルスプリング７と、第１コイルスプリング７と同じ内径Ｒ１、同じ外径Ｒ２及び同じピッチＰを有し、第１中間筒３及び第２中間筒４の内側に配置可能で、且つ第１コイルスプリング７と軸方向にずれて配置可能な第２コイルスプリング８と、第１コイルスプリング７と同じ内径Ｒ１、同じ外径Ｒ２及び同じピッチＰを有し、外筒４の内側に配置可能で、且つ第２コイルスプリング８と軸方向にずれて配置可能な旋回用コイルスプリング９とを有する。上記ピッチＰは、３本のコイルスプリング７〜９が互いに各コイルスプリング７〜９と、略線径分ほど軸方向にずれて、螺旋状になることが可能になるように、各コイルスプリング７〜９の線径の３倍を超えて５倍以下であることが好ましい。ピッチＰが狭いと３本のコイルスプリングが、軸方向にずれてそれぞれ旋回することが難しく、逆に広すぎると、各コイルスプリング７〜９の間にできる隙間が大きくなり、互いの軸方向中心線がずれる可能性が高くなるので、上記範囲とすることが好ましい。実施形態１では、ピッチＰは線径の約４倍となっている。なお、このピッチＰは、３本のコイルスプリング７〜９に適用する場合であり、３本よりも増える場合には、上記範囲に、線径分長さを、増えるコイルスプリングの数分だけ加えた数値の範囲にすればよい。
【００４２】
図５に示すように、各コイルスプリング７〜９の下端部７ａ〜９ａが、それぞれ同一内径Ｒ３及び同一外径Ｒ４からなる第１中空円筒部材１０、第２中空円筒部材１１、及び旋回部材を構成する旋回用中空円筒部材１２に固定されている。第１中空円筒部材１０、第２中空円筒部材１１、及び旋回用中空円筒部材１２は、共通部品である。なお、第１中空円筒部材１０の内径Ｒ３と内筒２の矩形状断面の内側の長さＬ１がほぼ等しく、第１中空円筒部材１０の外径Ｒ４が、内筒２の矩形状断面の外側の長さＬ２とほぼ等しくなっている。
【００４３】
第１中空円筒部材１０が、第１コイルスプリング７の下端側に外挿され、第１コイルスプリング７の下端部７ａが、第１中空円筒部材１０の内面に溶接して固定されて、第１中空円筒部材１０と第１コイルスプリング７とが一緒に旋回するようになっている。同様に、第２中空円筒部材１１が、第２コイルスプリング８の下端側に外挿され、第２コイルスプリング８の下端部８ａが、第２中空円筒部材１１の内面に溶接して固定されて、第２中空円筒部材１１と第２コイルスプリング８とが一緒に旋回するようになっている。また、旋回用中空円筒部材１２が、旋回用コイルスプリング９の下端側に外挿され、旋回用コイルスプリング９の下端部９ａが、旋回用中空円筒部材１２の内面に溶接して固定されて、旋回用中空円筒部材１２と旋回用コイルスプリング９とが一緒に旋回するようになっている。なお、固定手段は上記溶接に限らず、他の固定手段でもよい。
【００４４】
第２中空円筒部材１１と第１中空円筒部材１０との間には、第１中空円筒部材１０と同じ内径Ｒ３及び同じ外径Ｒ４のガイド用中空円筒部材１３が第２コイルスプリング８の外側に遊嵌されている。ガイド用中空円筒部材１３は、第１コイルスプリング７、第２コイルスプリング８及び旋回用コイルスプリング９の旋回をガイドして、旋回用コイルスプリング９、第２コイルスプリング８および第１コイルスプリング７の軸方向中心線がずれることを防止するようになっている。なお、このガイド用中空円筒部材１３は、上記軸方向中心線のずれを問題にする必要がない場合には、省くことも可能である。ガイド用中空円筒部材１３を省く或いは短くすれば、図２において各コイルスプリング７〜９が下降した時に、内筒２および第１コイルスプリング７の飛び出る量を少なくでき、よりコンパクトに収納できる。また、旋回用コイルスプリング９および第１コイルスプリング７が、コイルスプリング９，７の軸方向中心線がずれることを防止するように、これらの外周にガイド用中空円筒部材１３と同じものを設けることも可能である。
【００４５】
また、ガイド用中空円筒部材１３を第２中空円筒部材１１や第１中空円筒部材１０に固定してもよい。
【００４６】
旋回用中空円筒部材１２、第２中空円筒部材１１及び第１中空円筒部材１０は同じ長さであり、各コイルスプリング７〜９のピッチＰの２．５倍程度の長さである。ガイド用中空円筒部材１３は、各コイルスプリング７〜９のピッチＰの約３倍程度になっている。
【００４７】
各コイルスプリング７〜９が収納された状態では、旋回用中空円筒部材１２、第２中空円筒部材１１及び第１中空円筒部材１０は、図２に示すように、それぞれ下端位置にあり、上下方向に積み重なった状態となる。なお、第２中空円筒部材１１と第１中空円筒部材１０との間には、ガイド用中空円筒部材１３が介在している状態で積み重なっている。
【００４８】
第１コイルスプリング７と第１中空円筒部材１０、第２コイルスプリング８と第２中空円筒部材１１、旋回用コイルスプリング９と旋回用中空円筒部材１２の組み合わせ品は同じであり、共通化することで、コストダウンになっている。
【００４９】
図５に示すように、内筒２の下端部２ａの外周に、内筒２よりも薄肉で矩形状の第１ガイド筒６１が溶接固定されている。第１ガイド筒６１が第１支持機構を構成している。第１ガイド筒６１の外周が、第１中間筒３の内周に接触して上下方向にスライドすることで、内筒２が第１中間筒３に対してスライドするようになっている。また、第１中間筒３の上端部３ｂに第１フランジ部６２が溶接固定されている。第１フランジ部６２の内周は、第１中間筒３の半径方向内側に、第１ガイド筒６１の肉厚分飛び出ており、第１フランジ部６２の半径方向内周面が、内筒２の外周のガイド面になっている。従って、内筒２の下端部２ａに設けられた第１ガイド筒６１の外周が、第１中間筒３の内周にガイドされ、内筒２の外周が第１ガイド筒６１の半径方向内周面にガイドされることで、内筒２と第１中間筒３との軸方向中心線がずれること無く、内筒２が安定して第１中間筒３に対してスライドするようになっている。この実施形態では、第１支持機構として、第１ガイド筒６１と第１フランジ部６２とを備える。なお、第１支持機構として、内筒２の軸方向中心線と直角な方向へのズレが余り発生しない場合には、第１ガイド筒６１だけでもよい。
【００５０】
図４及び図５に示すように、第１中間筒３の上端部３ｂの外周に、薄肉の第１保持筒６３が固定されている。第１フランジ部６２の外周が、第１中間筒３の半径方向外側に、第１ストッパ６３の肉厚分ほど飛び出ており、第１保持筒６３の上端部が第１フランジ部６２の外周側の下面に固定され、第１フランジ部６２の固定状態を補強している。
【００５１】
第１中間筒３の下端部３ａの外周に、第１中間筒３よりも薄肉で矩形状の第２ガイド筒６４が溶接固定されている。第２ガイド筒６４が第２支持機構を構成している。第２ガイド筒６４の外周が、第２中間筒４の内周に接触して上下方向にスライドすることで、第１中間筒３が第２中間筒４に対してスライドするようになっている。また、第２中間筒４の上端部４ｂに第２フランジ部６５が溶接固定されている。第２フランジ部６５の内周は、第２中間筒４の半径方向内側に、第２ガイド筒６４の肉厚分飛び出ており、第２フランジ部６５の半径方向内周面が、第１中間筒３の外周のガイド面になっている。従って、第１中間筒３の下端部の第２ガイド筒６４の外周が、第２中間筒４の内周にガイドされ、第１中間筒３の外周が第２ガイド筒６４の半径方向内周面にガイドされることで、第１中間筒３と第２中間筒４との軸方向中心線がずれること無く、第１中間筒３が安定して第２中間筒４に対してスライドするようになっている。この実施形態では、第２支持機構として、第２ガイド筒６４と第２フランジ部６５とを備える。なお、第２支持機構として、第１中間筒３の軸方向と直角な方向へのズレが余り発生しない場合には、第２ガイド筒６４だけでもよい。
【００５２】
第２中間筒４の上端部４ｂの外周に、薄肉の第２保持筒６６が固定されている。第２フランジ部６５の外周が、第２中間筒４の半径方向外側に、第２ストッパ６６の肉厚分ほど飛び出ており、第２保持筒６６の上端部が第２フランジ部６５の外周側の下面に固定され、第２フランジ部６５の固定状態を補強している。第１中間筒３が、第２中間筒４内をスライドして下降して、第１保持筒６３の下端部が、第２中間筒４に固定された第２フランジ部６５の上面に当接して下降が止まるようになっている。
【００５３】
図２及び図３に示すように、第２中間筒４の下端部４ａの外周に、第２中間筒４よりも薄肉で矩形状の第３ガイド筒６７が溶接固定されている。第３ガイド筒６７の外周が、外筒５の内周に接触して上下方向にスライドすることで、第２中間筒４が内筒５に対してスライドするようになっている。また、外筒５の上端部５ｂに第３フランジ部６８が溶接固定されている。第３フランジ部６８の内周は、外筒５の半径方向内側に、第３ガイド筒６７の肉厚分飛び出ており、第３フランジ部６８の半径方向内周面が、第２中間筒４の外周のガイド面になっている。従って、第２中間筒４の下端部の第３ガイド筒６７の外周が、外筒５の内周にガイドされ、第２中間筒４の外周が第３ガイド筒６７の半径方向内周面にガイドされることで、第２中間筒４と外筒５との軸方向中心線がずれること無く、第２中間筒４が安定して外筒５に対してスライドするようになっている。即ち、内筒２の内側の長さ：Ｌ１、外側の長さ：Ｌ２、第１中間筒３の内側の長さ：Ｌ３、外側の長さ：Ｌ４、第２中間筒４の内側の長さ：Ｌ５、外側の長さ：Ｌ６とした場合に、Ｌ３とＬ２の差が第１ガイド筒６１の厚さになっており、Ｌ５とＬ４の差が第２ガイド筒６４の厚さになっており、第３ガイド筒６７の厚さも同様な厚さになっている。
【００５４】
外筒５の上端部５ｂの外周に、薄肉の第３保持筒６９が固定されている。第３フランジ部６８の外周が、外筒５の半径方向外側に、第３ストッパ６９の肉厚分ほど飛び出ており、第３保持筒６９の上端部が第３フランジ部６８の外周側の下面に固定され、第１フランジ部６２の固定状態を補強している。
【００５５】
図２及び図３に示すように、内筒２が、第１中間筒３内をスライドして下降した場合には、上蓋部６が第１コイルスプリング７の上端部７ｂに当接することで、内筒２の下降がストップするようになっている。第１中間筒３が、第２中間筒４内をスライドして下降して、第１保持筒６３の下端部が、第２中間筒４に固定された第２フランジ部６５の上面に当接して、第１中間筒３の下降が止まるようになっている。第２中間筒４が、外筒５内をスライドして下降して、第２保持筒６６の下端部が、外筒５に固定された第３フランジ部６８の上面に当接して、第２中間筒４下降が止まるようになっている。
【００５６】
図１、図２及び図１１に示すように、内筒２の上側は、上蓋部６で塞がれている。１例として、上蓋部６の上面にボルト５３が溶接され、ボルト５３に星形飾り５１の下端部が挿入され、ナット５４がボルト５３に螺合されて、星形飾り５１が取り付けられている。内筒２の上端部２ｂには、第１コイルスプリング７が内筒２に対して相対的に旋回することを阻止する回り止め部１４が設けられている。回り止め部１４は、図１１に示すように、内筒２の周壁に外側からボルトを通して設けられている。第１コイルスプリング７の上端部７ｂには、この回り止め部１４に係合して相対的に旋回することが阻止される係合部１６が設けられている。回り止め部１４は、内筒２の上端部２ｂに設けたが、必ずしも内筒２の上端部２ｂでなくてもよく、高さ方向の途中位置でもよい。
【００５７】
なお、回り止め部１４は、第１コイルスプリング７が内筒２に対して相対的に旋回することを阻止できればよいものであり、この構造に限られない。
【００５８】
また、図４及び図５に示すように、内筒２の下端部に内筒用ガイド部１７が設けられている。旋回用コイルスプリング９が旋回することで、一緒に第１コイルスプリング７及び第２コイルスプリング８が旋回することで、第１コイルスプリング７の係合部１６が回り止め部１４に係合すると、第１コイルスプリング７が旋回することなく上昇し、それにつれて内筒２も上昇する。
【００５９】
内筒２の内側に内筒用ガイド部１７が設けられているので、これよりも上側に位置するコイルスプリング７〜９の一部は、内筒用ガイド部１７にガイドされて、スムーズに旋回するようになっている。仮に、第１コイルスプリング７の上端部７ｂが内筒２の上端部２ｂに当接しないで離れた位置にあっても、内筒２に対して内筒用ガイド部１７にガイドされて旋回しながら上昇するので、第１コイルスプリング７の係合部１６が回り止め部１４に係合することとなる。その後は、前述したように、第１コイルスプリング７と内筒２が旋回することなく上昇する。この状態の時に、ツリーなどの装飾品５０の荷重が第１コイルスプリング７、第２コイルスプリング８、第３コイルスプリング９に掛かるが、互いにコイルスプリングの一部が上下方向に接触することで、その荷重をコイルスプリング７〜９が分散して受けることとなり、装飾品５０等の荷重を受けても強度的に耐えうると共に、各コイルスプリングが安定して旋回し、各筒がスムーズに上昇することができる。
【００６０】
また、図５〜図７及び図１０に示すように、コイルスプリング７〜９同士の相対的な旋回を阻止し、一緒に旋回するように連結する連結部１５が、第１中空円筒部材１０及び第２中空円筒部材１１に設けられている。具体的には、連結部１５は、第１中空円筒部材１０に設けられる第１連結部１５ａ及び第２中空円筒部材１１に設けられる第２連結部１５ｂを有する。第１連結部１５ａは、第１中空円筒部材１０の上方側に開口したネジ穴に外側から螺合する螺子ボルト４０からなり、螺子ボルト４０の先端が、第２コイルスプリング８の半径方向内側まで突出するようにねじ込まれている。また、第２連結部１５ｂは、第１中空円筒部材１１の上方側に開口したネジ穴に外側から螺合する螺子ボルト４０からなり、螺子ボルト４０の先端が、第２コイルスプリング８の半径方向内側まで突出するようにねじ込まれている。
【００６１】
図２〜図７に示すように、第１連結部１５ａに連結する第１連結係合部１８ａが、第２コイルスプリング８の上端部８ｂに形成され、第２連結部１５ｂに係合する第２連結係合部１８ｂが、旋回用コイルスプリング９の上端部９ｂに形成されている。具体的には、第２コイルスプリング８の上端部８ｂを下向きに折り曲げて第１連結係合部１８ａが形成されている。旋回用コイルスプリング９の上端部９ｂを下向きに折り曲げて第２連結係合部１８ｂが形成されている。
【００６２】
図２、図８及び図９に示すように、伸縮ポール１の下方に駆動機構２０が設けられている。駆動機構２０は、旋回用中空円筒部材１２を内挿する有底カップ状部材２１と、有底カップ状部材２１を旋回用中空円筒部材１２と同軸で旋回可能に支持する支持本体２２と、モータ部３０と、モータ部３０の旋回を有底カップ状部材２１に伝達する伝達機構と、モータ部３０の回転を制御する制御部３６とを備える。
【００６３】
図８及び図９に示すように、旋回用中空円筒部材１２の上方側に係合部が設けられている。この係合部は、旋回用中空円筒部材１２の上方に開口したネジ穴に外側から螺合する螺子ボルト４０として形成されている。そして、有底カップ状部材２１には、被係合部が設けられている。この被係合部は、螺子ボルト４０の頭部が離脱可能に遊嵌されるスリット２１ａとして形成されている。有底カップ状部材２１に旋回用中空円筒部材１２が内挿され、係合部である螺子ボルト４０の頭部が、スリット２１ａに遊嵌されることで、有底カップ状部材２１と旋回用中空円筒部材１２とが一緒に旋回することができるようになっている。なお、旋回用中空円筒部材１２と有底カップ状部材２１とが一緒に旋回できるように連結されればよいものであり、スリット２１ａと螺子ボルト４０との構成に限られない。なお、分解や組立の容易性からすれば、簡単に離脱でき、組み立てた場合には一緒に旋回するような連結が好ましく、上記のように、遊嵌するようにすることが好ましい。この実施形態では、旋回部材の有底カップ状部材２１に旋回用中空円筒部材１２を挿入すると係合され、旋回用中空円筒部材１２を抜くと係合が外れるので、簡単に組立・分離できる。
【００６４】
なお、組立・分離を考慮しない場合には、旋回用コイルスプリング９を直接有底カップ状部材２１の固定・嵌合などで結合して、旋回用中空円筒部材１２を省略することも可能である。更には、有底カップ状部材２１の形状で無く、回転シャフト２５（後述する）に直に固定・嵌合などで結合することも可能である。
【００６５】
図８に示すように、伝達機構として、モータシャフト３１、傘歯車２６、傘歯車２７、回転シャフト２５を有する。回転シャフト２５が、有底カップ状部材２１の底部２１ｂの中心に、下方に向けて伸びて設けられている。回転シャフト２５が回転することで、有底カップ状部材２１が回転するようになっている。支持本体２２は、回転シャフト２５の途中を回転可能に支持する台座部２３と、台座部２３を支える脚柱２４を有する。回転シャフト２５は、台座部２３を上下方向に貫通して設けられており、回転シャフト２５の下端が回転可能に、支持台２８に支持されている。
【００６６】
台座部２３の下側で、回転シャフト２５に傘歯車２６が取り付けられている。傘歯車２６と噛み合う傘歯車２７が、台座部２３の下側に設けられている。この傘歯車２７は、モータシャフト３１の一端に取り付けられている。モータシャフト３１の他端は、減速機構（図示省略）を介して、モータ部３０に連結されている。モータ部３０が駆動することで、モータシャフト３１が回転する。３２は、回転シャフト２５を、台座部２３に対して回転可能に支持するベアリング部である。３３は、回転シャフト２５を、支持台２８に対して回転可能に、且つ回転シャフト２５の下端部を支えるベアリング部である。３４は、傘車２６，２７の位置を調整して取り付ける傘車固定部である。３５はモータ部３０を駆動する操作部（スイッチ）で、上側に動かすと、旋回用コイルスプリング９が第２コイルスプリング８と離れる方向に旋回させるようにモータ部３０を駆動し、下側に動かすと、旋回用コイルスプリング９が第２コイルスプリング８と近づく方向に旋回させるように駆動し、上下中間位置で、モータ部３０の駆動をＯＦＦする。
【００６７】
図１２に示すように、モータ部３０は正逆回転可能なモータ３５を備える。制御部３６は、モータ３５を正転、逆転および停止する操作部３７を備える。制御部３６では、内筒２、第１中間筒３及び第２中間筒４が上昇端に達した場合をセンサ４３で検出して、内筒２、第１中間筒３及び第２中間筒４が下降端に達した場合をセンサ３８で検出して、制御部３６に信号を送り、制御部３６内の演算部３９で演算処理して、制動部３８からの信号によってモータ３５の回転を停止する。
【００６８】
図１〜図１１の実施形態１では、センサ４３及び４５の図示を省略したが、内筒２と第１中間筒３、第２中間筒４が上昇端に達した場合として、例えば、近接センサ、接触センサ等のセンサ４３を外筒５に設けて、第２中間筒４が上昇端に達した場合を検出するようにすればよい。また、内筒２と第１中間筒３、第２中間筒４が下降端に達した場合として、例えば、近接センサ、接触センサ等のセンサ４５を内筒２に設けて検出するようにすればよい。
【００６９】
なお、内筒２と第１中間筒３、第２中間筒４が上昇端に達した場合や内筒２と第１中間筒３、第２中間筒４が下降端に達した場合を、目視して確認して操作部３７を手動操作するようにしてもよい。また、安全上では、内筒２と第１中間筒３、第２中間筒４が上昇端又は下降端に達した場合に、モータ３５が空回りするようにした方がよい。
【００７０】
図２〜図７を参照して、伸縮ポール１の作動状態を説明する。
【００７１】
まず、伸縮ポール１が縮められて収納された状態を図２（ａ）及び図３に基づいて説明する。モータ３５を逆転する方向に駆動機構２０を操作すると、旋回用コイルスプリング９が逆転して（図３において、第１コイルスプリング７の螺旋方向と同じ方向、即ち第１コイルスプリング７、第２コイルスプリング８と旋回用コイルスプリング９とが接近する方向に回転して）、第１コイルスプリング７及び第２コイルスプリング８を下降して、線径分ずれた状態で螺旋状に重なった状態にする。また、第２コイルスプリング８に接続された第２中空円筒部材１１が下降して、旋回用中空円筒部材１２に接触することで下端に位置する。そして、第１コイルスプリング７に接続された第１中空円筒部材１０が下降して、第２中空円筒部材１１の上側に位置するガイド用中空円筒部材１３に接触することで下端に位置する。
【００７２】
そして、第２中間筒４、第１中間筒３及び内筒２も下降して、下端位置になっている。具体的には、第２中間筒４の第２保持筒６６の下端が、外筒５の第３フランジ部６８の上面に当接することで、第２中間筒４の下降が止まる。同様に、第１中間筒３の第１保持筒６３の下端が、第２中間筒４の第２フランジ部６５の上面に当接することで、第１中間筒３の下降が止まる。内筒２は、第１中間筒３内をスライドして下降して、上蓋部６が第１コイルスプリング７の上端部７ｂに当接することで下降が止まる。なお、内筒２の上蓋部６や星形飾り５１が、第１中間筒３の第１フランジ部６２の上面に当接することで、内筒２の下降が止まるようにしてもよい。
【００７３】
次に駆動機構２０を操作して、旋回用コイルスプリング９を正転して伸縮ポール１を伸ばしていく作動状態について説明する。
【００７４】
図８及び図９に示すように、モータ部３０をＯＮにすると、モータ３５が回転してモータシャフト３１が回転し、傘歯車２７が回転する。傘歯車２７に螺合する傘歯車２６が回転し、回転シャフト２５が回転する。回転シャフト２５の回転により、有底カップ状部材２１および旋回用中空円筒部材１２が一緒に正転方向に（旋回用コイルスプリング９の螺旋方向と逆方向に）旋回する。旋回用コイルスプリング９が旋回すると、図２（ｂ）及び図４に示すように、第１コイルスプリング７が、内筒用ガイド部１７にガイドされつつ、旋回用コイルスプリング９及び第２コイルスプリング８とから離れて上昇する方向に旋回する。そして、第１コイルスプリング７が、内筒２の上蓋部６に当接しながら旋回して、係合部１６が回り止め部１４に係合する。これよって、第１コイルスプリング７が旋回することが阻止され、後は、旋回用コイルスプリング９の正転によって、第１コイルスプリング７及び内筒２が上昇する。そして、内筒２が上昇して、内筒２に取り付けた第１ガイド筒６１が、第１中間筒３の第１フランジ部６２の下面に当接すると、内筒２の上昇に連れて第１中間筒３も上昇する。
【００７５】
図２（ｂ）の状態から、第１コイルスプリング７、内筒２及び第１中間筒３が更に上昇して、第１コイルスプリング７の下端部７ａが第２コイルスプリング８の上端部６ｂに対して、第１中空円筒部材１０の内側で所定距離内に接近すると、図２（ｃ）、図５及び図１０に示すように、第２コイルスプリング８の第１連結係合部１８ａが、第１連結部１５ａに係合することとなる。その結果、第２コイルスプリング８が第１コイルスプリング７と相対的に旋回することが阻止されるようになる。この係合によって、第２コイルスプリング８も第１コイルスプリング７の上昇に連れて一緒に上昇することとなる。その結果、内筒２、第１中間筒３とともに第２中間筒４も上昇する。
【００７６】
更に旋回用コイルスプリング９が同じ方向に旋回すると、図２（ｄ）及び図６に示すように、第２コイルスプリング８が旋回用コイルスプリング９から離れる方向に正転して上昇する。第１コイルスプリング７及び第２コイルスプリング８、内筒２及び第１中間筒３が上昇して、第１中間筒３に取り付けた第２ガイド筒６４が、第２中間筒４の第２フランジ部６５の下面に当接すると、第１中間筒３の上昇に連れて第２中間筒４も上昇する。
【００７７】
そして、旋回用コイルスプリング９の上端部９ｂと第２コイルスプリング８の下端部８ａとが第２中空円筒部材１１の内側で所定距離内に接近すると、図２（ｅ）及び図７に示すように、旋回用コイルスプリング９の第２連結係合部１８ｂが、第２連結部１５ｂに係合することとなる。その結果、旋回用コイルスプリング９に対して、第１コイルスプリング７及び第２コイルスプリング８の上昇が止まり、内筒２、第１中間筒３及び第２中間筒４の上昇も止まる。この時に、第１コイルスプリング７及び第２コイルスプリング８、内筒２、第１中間筒３及び第２中間筒４が上昇することによって、第２中間筒４に取り付けた第３ガイド筒６７が、外筒５の第３フランジ部６８の下面に当接すると、内筒２、第１中間筒３及び第２中間筒４の上昇が止まるようになっており。伸縮ポール１が伸びた際に、確実に止まるようになっている。
【００７８】
また、第１連結部１５ａは、第２コイルスプリング８が第１コイルスプリング７と相対的に重なる方向に旋回する時、同じ軸方向中心線上で螺旋状に旋回するようにガイドする第１ガイド部を兼ねている。また、第２連結部１５ｂは、旋回用コイルスプリング７が第２コイルスプリング８と相対的に重なる方向に旋回する時に、同じ軸方向中心線上で螺旋状に旋回するようにガイドする第２ガイド部を兼ねている。
【００７９】
以上説明したように、本発明では、駆動機構２０により、旋回部材８及び旋回用コイルスプリング９が旋回して、第２コイルスプリング８および第１コイルスプリング７が上昇することで、内筒２、第１中間筒３および第２中間筒４が外筒５に対して上昇・下降するようになっているので、上昇動作及び下降動作が滑らかであり、各コイルスプリング７〜９でイルミネーション５０の荷重を受けるので、ツリーなどの重いイルミネーション５０にも適用しやすい。
【００８０】
コイルスプリング７〜９が軸方向に重なった状態になることで、内筒２、第１中間筒３、第２中間筒４と外筒５が互いに軸方向にほとんど重なってコンパクトに収納される。それと共に、コイルスプリング７〜９が軸方向にずれて１本のコイルスプリングのようになることで、内筒２、第１中間筒３、第２中間筒４と外筒５が互いに軸方向に伸びた状態になる。この伸縮の作動を、旋回用コイルスプリング９を旋回することで、伸縮ポールを簡単に縦方向に伸縮できるので、例えば、コンパクトに収納している状態で飾り付けをして、それから伸縮ポール１を伸ばして使用状態にすることができるので、高いところでの装飾品５０の飾りをしなくてもよいので、大きなクレーンを使用しなくてもできる。また、日中と夜とで展示状態と収納状態を繰り返すものにも便利に適用できる。
【００８１】
特に、コイルスプリング７〜９や中間筒３，４の数や長さを調整することで、必要な長さや荷重に応じた伸縮ポールを得ることができる。
【００８２】
内筒２が第１中間筒３に対して上下方向にスライドする場合に、第１ガイド筒６１と第１フランジ部６２からなる第１支持機構でガイドしているので、軸方向中心線と直角な方向にずれることを効果的に抑制でき、滑らかに上下動できる。同様に、第１中間筒３が第２中間筒４に対して上下方向にスライドする場合に、第２ガイド筒６４と第２フランジ部６５からなる第２支持機構でガイドしているので、軸方向中心線と直角な方向にずれることを効果的に抑制でき、滑らかに上下動できる。第２中間筒４が外筒５に対して上下方向にスライドする場合に、第３ガイド筒６７と第３フランジ部６８からなる第３支持機構でガイドしているので、軸方向と直角な方向にずれることを効果的に抑制でき、滑らかに上下動できる。
【００８３】
その結果、コイルスプリング７〜９が上下動する時にも軸方向とずれる方向に変位し難いので、コイルスプリングの旋回や上下動も滑らかに維持される。
【００８４】
また、有底カップ状部材２１に旋回用中空円筒部材１２を挿入して係合でき、旋回用中空円筒部材１２を有底カップ状部材２１から抜くと係合が外れるので、簡単に組立・分離できる。
【００８５】
実施形態１では、コイルスプリング７〜９と内筒２、第１中間筒３、第２中間筒４と外筒５とを一体に固定してないので、分解して持ち運ぶことも可能であり、現場で組み立てるのも簡単である。また、この場合に、外筒５に対して、内筒２、第１中間筒３、第２中間筒４を別々に分解して運搬することも可能であり、コイルスプリング７〜９も別々でも、１本のように重ねてコンパクトにして運搬することもできる。
【００８６】
（実施形態２）
実施形態２の伸縮ポールを、図１３に基づいて説明する。実施形態２では、実施形態１と異なる部分のみの説明として、共通部分の説明は省略する。実施形態２が実施形態１と異なるのは、内筒、中間筒、外筒が３本である点である。
【００８７】
図１３において、その左半分では、外筒５ｘに対して中間筒３ｘが上方に伸びて、且つ中間筒３ｘに対して内筒２ｘが上方に伸びている状態を示し、図２の右半分では、内筒２ｘが下方に降りて、中間筒３ｘの内側に収納され、且つ中間筒３ｘが下方に降りて、外筒５ｘの内側に収納されている状態を示す。
【００８８】
３本のコイルスプリングは、内筒２ｘの内側に配置される第１コイルスプリング７ｘと、中間筒３ｘの内側に配置される第２コイルスプリング８ｘと、外筒５ｘの内側に配置される旋回用コイルスプリング９ｘを有する。第１中空円筒部材１０ｘ、第２中空円筒部材１１ｘ、旋回用中空円筒部材１２ｘ、ガイド用中空円筒部材１３ｘが設けられている。
【００８９】
なお、内筒２ｘの上端部の内側には、矩形状の中空ガイド筒１０Ｙが固定されている。中空ガイド筒１０Ｙの内側の長さは、第１コイルスプリング７ｘの外径よりも僅かに長い長さで、第１コイルスプリング７ｘの軸方向中心線がずれることを防止するようになっている。
【００９０】
第１連結部１５ｘａ及び第２連結部１５ｘｂ、旋回用コイルスプリング９ｘに対してコイルスプリング７ｘ，８ｘが旋回する時に、同じ軸方向中心線で螺旋状に旋回するようにガイドする第１ガイド部、第２ガイド部を兼ねている。
【００９１】
図１３に示すように、伸縮ポール１の下方に駆動機構２０ｘが設けられている。駆動機構２０ｘは、実施形態１と同様であり、実施形態２では、説明を省略する。
【００９２】
収納時は、図１３の右半分に示すように、内筒２ｘと中間筒３ｘとが外筒５ｘ内に収納されている。この状態では、中空円筒部材１０ｘ，１１ｘが下端位置にあり、旋回用中空円筒部材１２ｘの上に、順次中空円筒部材１１ｘ、ガイド用中空円筒部材１３ｘ、中空円筒部材１０ｘが上になって、接触して位置している。また、旋回用コイルスプリング９ｘ内に第２コイルスプリング８ｘ、第１コイルスプリング７ｘの大半が収納され、コイルスプリング７ｘ〜９ｘが軸方向に螺旋状に重なって収納されている。
【００９３】
この状態から、モータをＯＮにすると、伝達機構を介して、有底カップ状部材２１Ｘおよび旋回用中空円筒部材１２ｘが一緒に旋回する。それによって、旋回用コイルスプリング９ｘが旋回して、第１コイルスプリング７ｘが上昇して、内筒２ｘが上昇する。そして、第１コイルスプリング７ｘの下端部と第２コイルスプリング８ｘの上端部とが所定範囲内に接近すると、互いのコイルスプリング７ｘ，８ｘが第１連結部１５ｘａで連結されて、一緒に上昇し、内筒２ｘと中間筒３ｘ画上昇する。そして、第２コイルスプリング８ｘの下端部と旋回用コイルスプリング９ｘの上端部とが所定範囲内に接近すると、第１コイルスプリング７ｘ、第２コイルスプリング８ｘの上昇が止まって、内筒２ｘ及び中間筒３ｘの上昇も止まる。この時に、モータ部３０Ｘの操作部をＯＦＦにする。この状態が、一番伸びた状態であり、伸縮ポール１は収納状態から約３倍に伸びている。この状態を図１３の左半分に示す。
【００９４】
（その他の実施形態）
実施形態１や２では、内筒２、第１中間筒３、第２中間筒４及び外筒５がいずれも断面矩形状の長筒としたがこの矩形状に限られるものではなく、連れ回りしないように回り止めを設けておけば、断面円形の円筒としてもよい。例えば、外筒に対して第１中間筒が相対的に回転しないようなキー溝とキーの組み合わせ、同様に第２中間筒と第１中間筒のキー溝とキーによる相対回転止め、第１中間筒と内筒のキー溝とキーによる相対回転止めを設けるようにしてもよい。
【００９５】
実施形態１や２では、第１ガイド筒６１、第２ガイド筒６４、第３ガイド筒６７として、筒状の形状としたが、この形状に限られるものではなく、例えば、ガイド片を外周に溶接したものや、筒の一部を外側に膨らましたものでもよい。また、第１保持筒６３、第２保持筒６６、第３保持筒６９は、この形状に限られるものではなく、例えば、ストッパ片としてもよい。
【００９６】
実施形態１では、内筒、第１中間筒、第２中間筒、外筒の４本であり、実施形態２では、内筒、中間筒、外筒の３本であるが、本発明は、内筒と外筒の２本でも、或いは、中間筒を３本以上に増やしても、利用可能である。また、実施形態１と２に示すように、コイルスプリングの数と外筒、中間筒、内筒等の筒状部材との数は一致しても一致して無くてもよい。
【産業上の利用可能性】
【００９７】
本発明は、イルミネーション用、イベント用、テント用、広告用、店舗の宣伝用等の伸縮ポール等多用途に、極めて有用であり、産業上の利用可能性が高い。特に、本発明の伸縮ポールは、伸縮ポールの背が高く且つ、伸縮ポールに荷重がかかるような場合に好適である。
【符号の説明】
【００９８】
１        伸縮ポール
２        内筒
３        第１中間筒
４        第２中間筒
５        外筒
７        第１コイルスプリング
８        第２コイルスプリング
９        旋回用コイルスプリング
１０      第１中空円筒部材
１１      第２中空円筒部材
１２      旋回用中空円筒部材（旋回部材）
１３      ガイド用中空円筒部材
１４      回り止め部
１５      連結部
１６      係合部
１７      内筒用ガイド部
１８ａ    第１連結係合部
１８ｂ    第２連結係合部
２０      駆動機構
２１      中空支持部材
２２      支持本体
３０      モータ部
５０      装飾品
５１      星形飾り
６１      第１ガイド筒（第１支持機構）
６２      第１フランジ部（第１支持機構）
６４      第２ガイド筒（第２支持機構）
６５      第２フランジ部（第２支持機構）
【図１】
0006532815.tif 000002
【図２】
0006532815.tif 000003
【図３】
0006532815.tif 000004
【図４】
0006532815.tif 000005
【図５】
0006532815.tif 000006
【図６】
0006532815.tif 000007
【図７】
0006532815.tif 000008
【図８】
0006532815.tif 000009
【図９】
0006532815.tif 000010
【図１０】
0006532815.tif 000011
【図１１】
0006532815.tif 000012
【図１２】
0006532815.tif 000013
【図１３】
0006532815.tif 000014